(57)【要約】【課題】使用性を向上できる無線通信装置及びそれを備えた無線通信システムを提供する。【解決手段】問合せ信号を送信するとともに問合せ信号に対するスレーブＳ１〜Ｓ６からの応答信号を受信する通信部１５と、通信部１５が受信した応答信号を送信したスレーブＳ１〜Ｓ６のアイコンＳ１ｉ〜Ｓ６ｉを表示する表示部１２とを備え、表示部１２に表示されたアイコンＳ１ｉ〜Ｓ６ｉの選択操作によって対応するスレーブＳ１〜Ｓ６との通信を確立し、通信確立前にスレーブＳ１〜Ｓ６から送信されるＭＡＣアドレスを受信した際に、ＭＡＣアドレスに対応するスレーブＳ１〜Ｓ６のアイコンＳ１ｉ〜Ｓ６ｉを拡大表示する。【選択図】図４
2014216839.tif 000002
【特許請求の範囲】
【請求項１】
問合せ信号を送信するとともに前記問合せ信号に対する接続先端末からの応答信号を受信する通信部と、前記通信部が受信した前記応答信号を送信した前記接続先端末の端末情報を表示する表示部とを備え、前記表示部に表示された前記端末情報の選択操作によって対応する前記接続先端末との通信を確立し、
通信確立前に前記接続先端末から送信される識別情報を受信した際に、前記識別情報に対応する前記接続先端末の前記端末情報を強調表示することを特徴とする無線通信装置。
【請求項２】
前記表示部は前記応答信号の強度または品質が最も高い前記接続先端末の前記端末情報を強調表示することを特徴とする請求項１に記載の無線通信装置。
【請求項３】
問合せ信号を送信するとともに前記問合せ信号に対する接続先端末からの応答信号を受信する通信部と、前記通信部が受信した前記応答信号を送信した前記接続先端末の端末情報を表示する表示部とを備え、前記表示部に表示された前記端末情報の選択操作によって対応する前記接続先端末との通信を確立し、
通信確立前に、前記応答信号の強度または品質が最も高い前記接続先端末の前記応答信号に対応する前記接続先端末の端末情報を強調表示することを特徴とする無線通信装置。
【請求項４】
前記接続先端末の端末情報はアイコンを含み、前記表示部に表示された前記アイコンを拡大表示することにより前記接続先端末の端末情報を強調表示することを特徴とする請求項１〜請求項３のいずれか１項に記載の無線通信装置。
【請求項５】
請求項１〜請求項４のいずれかに記載の無線通信装置と、前記接続先端末とを備えたことを特徴とする無線通信システム。
【請求項６】
請求項１または請求項２に記載の無線通信装置と、前記接続先端末とを備え、前記接続先端末が、所定操作によって前記識別情報を送信するとともに、前記無線通信装置との通信確立後に前記所定操作によって前記識別情報の送信と異なる動作を行うことを特徴とする無線通信システム。
【発明の詳細な説明】
【技術分野】
【０００１】
本発明は、接続先端末と通信を行う無線通信装置及びそれを備えた無線通信システムに関する。
【背景技術】
【０００２】
特許文献１には、接続先端末と通信を行う無線通信装置が開示されている。この無線通信装置は通信部及び表示部を有する。通信部は接続先端末に問合せ信号を送信し、問合せ信号に対する応答信号を受信する。表示部は通信部が受信した応答信号を送信した接続先端末の端末情報を表示する。
【０００３】
この無線通信装置と通信を行う接続先端末には、ＬＥＤランプから成る報知部が設けられる。無線通信装置の表示部において接続先端末の端末情報が選択されると対応する接続先端末のＬＥＤランプが点滅する。
【０００４】
ＬＥＤランプの点滅している接続先端末が通信確立を所望する接続先端末であることを使用者は目視で確認した後に、無線通信装置から選択された接続先端末へ通信確立要求信号を送信する。これにより、無線通信装置と所望の接続先端末との通信が確立される。
【先行技術文献】
【特許文献】
【０００５】
【特許文献１】特開２０１０−１１０６４号公報（第８頁、第９頁、第８図、第９図）
【発明の概要】
【発明が解決しようとする課題】
【０００６】
しかしながら、上記特許文献１に開示された無線通信装置では、使用者は表示部に表示された接続先端末の端末情報を選択した後に、所望する接続先端末であることをＬＥＤランプの点滅で逐一確認する必要がある。そのため、所望する接続先端末と通信確立するのに手間を要し、使用性が低下するという問題があった。特に、表示部において複数の端末情報が一覧表示される場合には、各接続先端末の名称が類似して互いに区別がつきにくいこと等があり、所望する接続先端末との通信確立を完了するまでに表示部での端末情報の選択を繰り返すおそれがある。このため、無線通信装置の使用性の低下が一層顕著になる。
【０００７】
本発明は、使用性を向上できる無線通信装置及びそれを備えた無線通信システムを提供することを目的とする。
【課題を解決するための手段】
【０００８】
本発明は、問合せ信号を送信するとともに前記問合せ信号に対する接続先端末からの応答信号を受信する通信部と、前記通信部が受信した前記応答信号を送信した前記接続先端末の端末情報を表示する表示部とを備え、前記表示部に表示された前記端末情報の選択操作によって対応する前記接続先端末との通信を確立し、通信確立前に前記接続先端末から送信される識別情報を受信した際に、前記識別情報に対応する前記接続先端末の前記端末情報を強調表示することを特徴としている。
【０００９】
これにより、接続先端末との通信確立前に、接続先端末から送信される識別情報を受信した際に識別情報に対応する接続先端末の端末情報が無線通信装置の表示部において強調表示される。したがって、使用者は通信確立を所望する接続先端末を表示部において容易に認識することができる。その結果、無線通信装置の使用性を向上させることができる。
【００１０】
また本発明は上記構成の無線通信装置において、前記表示部は前記応答信号の強度または品質が最も高い前記接続先端末の前記端末情報を強調表示すると好ましい。これにより、使用者は無線通信装置に最も近く通信確立を所望することが多い接続先端末を表示部において容易に認識することができる。したがって、無線通信装置の使用性を向上させることができる。
【００１１】
本発明は、問合せ信号を送信するとともに前記問合せ信号に対する接続先端末からの応答信号を受信する通信部と、前記通信部が受信した前記応答信号を送信した前記接続先端末の端末情報を表示する表示部とを備え、前記表示部に表示された前記端末情報の選択操作によって対応する前記接続先端末との通信を確立し、通信確立前に、前記応答信号の強度または品質が最も高い前記接続先端末の前記応答信号に対応する前記接続先端末の端末情報を強調表示することを特徴としている。
【００１２】
これにより、使用者は無線通信装置に最も近く通信確立を所望することが多い接続先端末を表示部において容易に認識することができる。したがって、無線通信装置の使用性を向上させることができる。
【００１３】
また本発明は上記構成の無線通信装置において、前記接続先端末の端末情報はアイコンを含み、前記表示部に表示された前記アイコンを拡大表示することにより前記接続先端末の端末情報を強調表示するとより好ましい。これにより、使用者は通信確立を所望する接続先端末や無線通信装置に最も近い接続先端末を一層容易に認識することができる。したがって、無線通信装置の使用性をさらに向上させることができる。
【００１４】
本発明の無線通信システムは、上記構成の無線通信装置と、前記接続先端末とを備えたことを特徴としている。これにより、使用者は通信確立を所望する接続先端末や無線通信装置に最も近い接続先端末を無線通信装置の表示部において容易に認識することができる。したがって、無線通信システムの使用性を向上させることができる。
【００１５】
また本発明の無線通信システムは、上記構成の無線通信装置と、前記接続先端末とを備え、前記接続先端末が、所定操作によって前記識別情報を送信するとともに、前記無線通信装置との通信確立後に前記所定操作によって前記識別情報の送信と異なる動作を行うことを特徴としている。これにより、識別情報を送信するための操作ボタン等を接続先端末に別途設ける必要がない。したがって、接続先端末のコンパクト化を図ることができるとともに、接続先端末の製造コストを削減することができる。
【発明の効果】
【００１６】
本発明によると、通信確立前に接続先端末から送信される識別情報を受信した際に、識別情報に対応する接続先端末の端末情報を表示部において強調表示するので、使用者は通信確立を所望する接続先端末を表示部において容易に認識することができる。したがって、無線通信装置の使用性を向上させることができる。
【図面の簡単な説明】
【００１７】
【図１】本発明の第１実施形態の無線通信システムの構成を示す概略図である。
【図２】本発明の第１実施形態の携帯電話機の構成を示すブロック図である。
【図３】本発明の第１実施形態の携帯電話機と通信を行うヘッドセット装置の構成を示すブロック図である。
【図４】本発明の第１実施形態の携帯電話機の通信確立の動作を示すフローチャートである。
【図５】本発明の第１実施形態の携帯電話機と通信を行うヘッドセット装置の通信確立の動作を示すフローチャートである。
【図６】本発明の第１実施形態の携帯電話機が応答信号を受信した際の携帯電話機の表示部の表示状態を示すイメージ図である。
【図７】本発明の第１実施形態の携帯電話機が応答信号の強度または品質を比較した際の携帯電話機の表示部の表示状態を示すイメージ図である。
【図８】本発明の第１実施形態の無線通信システムの構成を示す概略図であって携帯電話機がヘッドセット装置からＭＡＣアドレスを受信した様子を説明するための概略図である。
【図９】本発明の第１実施形態の携帯電話機がＭＡＣアドレスを受信した際の携帯電話機の表示部の表示状態を示すイメージ図である。
【図１０】本発明の第２実施形態の携帯電話機がＭＡＣアドレスを受信した際の携帯電話機の表示部の表示状態を示すイメージ図である。
【図１１】本発明の第３実施形態の携帯電話機がＭＡＣアドレスを受信した際の携帯電話機の表示部の表示状態を示すイメージ図である。
【発明を実施するための形態】
【００１８】
＜第１実施形態＞
以下に図面を参照して本発明の実施形態を説明する。図１は第１実施形態の無線通信システムの構成を示す概略図である。無線通信システム１はマスタＭを構成する携帯電話機１０（無線通信装置）と、これに接続される複数のスレーブＳ１〜Ｓ６（接続先端末）とから成っている。
【００１９】
スレーブＳ１〜Ｓ６はそれぞれパーソナルコンピュータ２０、オーディオステレオ装置３０、マイク付ヘッドフォン装置４０、ヘッドセット装置５０、６０、キーボード装置７０から成っている。
【００２０】
マスタＭ及びスレーブＳ１〜Ｓ６はそれぞれＢｌｕｅｔооｔｈ（登録商標）規格に従った無線通信機能を備えている。ここで、Ｂｌｕｅｔооｔｈ規格を利用した通信確立方法について以下説明する。マスタＭがスレーブＳ１〜Ｓ６に問合せ信号を送信し、問合せ信号に対する応答信号をスレーブＳ１〜Ｓ６から受信する。この状態を探索（サーチ）という。その後、マスタＭの表示部１２には、応答信号を受信したスレーブＳ１〜Ｓ６の端末情報が表示される。そして、使用者が例えば通信確立を所望するスレーブＳ４の端末情報を選択すると、マスタＭからスレーブＳ４へ通信確立要求信号が送信される。これにより、マスタＭとそのスレーブＳ４との通信が確立される。
【００２１】
スレーブＳ１〜Ｓ６はマスタＭからの電波が届く領域に配置され、スレーブＳ３であるマイク付ヘッドフォン装置４０がマスタＭの最も近くに配置されている。図１において、破線の双方向矢印は電波の送受信を示している。マスタＭからの電波が届く領域はマスタＭを中心とした半径約１０ｍの円形となる。すなわち、本実施形態ではＢｌｕｅｔｏｏｔｈ規格の電波強度として、クラス２（Class２）が適用されている。
【００２２】
図２は、携帯電話機１０の構成を示すブロック図である。携帯電話機１０はＣＰＵから成る制御部１１を備え、制御部１１によって携帯電話機１０の各部を制御する。制御部１１には表示部１２、操作部１３、記憶部１４、通信部１５、音声処理部１６がそれぞれ接続されている。
【００２３】
表示部１２は液晶パネルや有機ＥＬ等から成り、操作メニューや通信状況等を表示するとともに、電話帳データや電子メール等の各種データを表示する。操作部１３は、表示部１２に表示されたカーソル（不図示）を移動する十字キー１３ａ（図１参照）、電話番号や電子メールを入力する文字キー１３ｂ（図１参照）等の複数の操作キーから成っている。
【００２４】
記憶部１４はＥＥＰＲＯＭ等から成り、各種のワークデータ、管理データ、電子メール等のデータとともに電話帳データを区分けして格納する。電話帳データは氏名、電話番号、メールアドレス、住所等から成っている。
【００２５】
通信部１５はアンテナ１７が接続され、アンテナ１７を介して電波を送受信する。音声処理部１６はスピーカ１８及びマイク１９が接続されている。通信部１５で受信した音声用受信信号は音声処理部１６により音声信号に変換されてスピーカ１８に送られる。マイク１９により集音された音声は音声処理部１６により音声信号に変換されて通信部１５に送信される。
【００２６】
また、通信部１５は、スレーブＳ１〜Ｓ６に問合せ信号を送信し、問合せ信号に対する応答信号を受信する。応答信号としては例えばＦＨＳ（Ｆｒｅｑｕｅｎｃｙ  Ｈｏｐ  Ｓｙｎｃｈｒｏｎｉｚａｔｉｏｎ）パケットを用いることができる。
【００２７】
また、通信部１５は通信確立要求信号をスレーブＳ１〜Ｓ６のいずれかに送信する。これにより、携帯電話機１０とスレーブＳ１〜Ｓ６のいずれかとの通信が確立される。ここで、通信の確立とは、データパケットの送受信が許可されるデータ転送状態（Ｄａｔａ  Ｔｒａｎｓｆｅｒ）への移行を意味する。なお、携帯電話機１０とスレーブＳとの間で通信が確立することをペアリングと呼ぶ。
【００２８】
図３は、スレーブＳ４であるヘッドセット装置５０の構成を示すブロック図である。ここでは、スレーブＳ１〜Ｓ６のうちスレーブＳ４を代表させて説明する。ヘッドセット装置５０はＣＰＵから成る制御部５１を備え、制御部５１によってヘッドセット装置５０の各部を制御する。制御部５１には表示部５２、操作部５３、記憶部５４、通信部５５、音声処理部５６がそれぞれ接続されている。
【００２９】
表示部５２は液晶パネルや有機ＥＬ等から成り、操作メニューや通信状況等を表示する。記憶部５４はＥＥＰＲＯＭ等から成り、各種のワークデータや管理データを格納する。
【００３０】
操作部５３は、表示部５２に表示されたカーソル（不図示）を移動する操作キー（不図示）や後述のスピーカ５８から出力される音量を調節する音量調節ボタン５３ａ等から成っている。携帯電話機１０とヘッドセット装置５０との通信確立前に音量調節ボタン５３ａを押し下げると、通信部５５を介してＭＡＣ（Media Access Control）アドレス（識別情報）が携帯電話機１０へ送信される。なお、識別情報としてはＭＡＣアドレスに限定されず、スレーブＳ４であると識別できる情報であればよい。
【００３１】
通信部５５はアンテナ５７が接続され、アンテナ５７を介して電波を送受信する。音声処理部５６はスピーカ５８及びマイク５９が接続されている。通信部５５で受信した音声用受信信号は音声処理部５６により音声信号に変換されてスピーカ５８に送られる。マイク５９により集音された音声は音声処理部５６により音声信号に変換されて通信部５５に送信される。
【００３２】
通信部５５は、マスタＭである携帯電話機１０から送信された問合せ信号を受信し、問合せ信号に対する応答信号を送信する。また、通信部５５は携帯電話機１０から送信された通信確立要求信号を受信する。これにより、携帯電話機１０とスレーブＳ４との通信が確立される。
【００３３】
図４は、携帯電話機１０の通信確立の動作を示すフローチャートである。携帯電話機１０の操作部１３の十字キー１３ａを操作してＢｌｕｅｔооｔｈ機能を選択する。ステップ＃１では、通信部１５は問合せ信号を送信する。ステップ＃２では、問合せ信号に対する応答信号をスレーブＳ１〜Ｓ６から受信するまで待機する。
【００３４】
スレーブＳ１〜Ｓ６から応答信号を受信すると、ステップ＃３に移行する。図６は、ステップ＃３において、スレーブＳ１〜Ｓ６から応答信号を受信した際の携帯電話機１０の表示部１２の表示状態を示すイメージ図である。ステップ＃３では、応答信号を受信したスレーブＳ１〜Ｓ６のアイコン２０ｉ（Ｓ１ｉ）、３０ｉ（Ｓ２ｉ）、４０ｉ（Ｓ３ｉ）、５０ｉ（Ｓ４ｉ）、６０ｉ（Ｓ５ｉ）、７０ｉ（Ｓ６ｉ）を表示部１２に表示する。アイコンＳ１ｉ〜Ｓ６ｉ（端末情報）は表示部１２の画面上に上下左右に並べられて一覧表示される。
【００３５】
ステップ＃４では、スレーブＳ１〜Ｓ６のいずれかから通信部１５がＭＡＣアドレス（識別情報）を受信したか否かが判断される。通信部１５がＭＡＣアドレスを受信していない場合には、ステップ＃５に移行する。
【００３６】
ステップ＃５では、受信したスレーブＳ１〜Ｓ６の応答信号の強度（単位：ｄＢ）または品質（ＳＮ比）を比較する。携帯電話機１０と各スレーブＳ１〜Ｓ６との間の距離が同じであれば、携帯電話機１０で受信されるスレーブＳ１〜Ｓ６の応答信号の強度及び品質は略同じになる。そして、スレーブＳ１〜Ｓ６の応答信号の強度及び品質は携帯電話機１０とスレーブＳ１〜Ｓ６との間の距離が長くなるに従って低下する。このため、スレーブＳ１〜Ｓ６の間で応答信号の強度または品質を比較することによりスレーブＳ１〜Ｓ６のうちどれが携帯電話機１０に最も近いかを判断することができる。本実施形態では、スレーブＳ３が携帯電話機１０に最も近く配置されているため（図１参照）、スレーブＳ３の応答信号の強度または品質が最も高いと判断される。
【００３７】
ステップ＃６では、応答信号の強度または品質が最も高いスレーブＳ３のアイコンＳ３ｉが表示部１２で拡大表示によって強調表示される。図７は携帯電話機１０が応答信号の強度または品質を比較した際の表示部１２の表示状態を示すイメージ図である。表示部１２において、スレーブＳ３のアイコンＳ３ｉは図６の状態よりも拡大されて表示される。これにより、使用者は携帯電話機１０に最も近いスレーブＳ３を表示部１２において容易に認識することができる。
【００３８】
なお、スレーブの種類によっては、携帯電話機１０と各スレーブとの間の距離が同じであっても、携帯電話機１０で受信されるスレーブの応答信号の強度及び品質が異なる場合がある。この場合には、応答信号の強度または品質の補正値を導出し、その補正値を比較することによりスレーブのうちどれが携帯電話機１０に最も近いかを判断すればよい。
【００３９】
例えばＢｌｕｅｔооｔｈ規格に従って携帯電話機１０に各スレーブの機器情報を登録する際に、携帯電話機１０とスレーブとの間の距離ｒを一定（例えば約１５ｃｍ）にし、各スレーブの応答信号の強度を携帯電話機１０で測定する。この時、信号強度をｙ、比例定数をａとすると、ｙ＝ａ／ｒ2が成立する。ここで、例えば２つのスレ―ブの信号強度をｙ１、ｙ２とし、比例定数をａ１、ａ２とすると、ｙ２に（ａ１／ａ２）を乗じて補正を行う。
【００４０】
ステップ＃８では、表示部１２に表示されたアイコンＳ１ｉ〜Ｓ６ｉのいずれかが選択されたか否かが判断される。使用者は操作部１３の十字キー１３ａを操作してカーソルキーを上下左右に移動させて所望のアイコンＳｉを選択することができる。いずれのアイコンＳｉも選択されなかった場合には、ステップ＃４に戻り、ステップ＃４〜ステップ＃８が繰り返される。
【００４１】
ステップ＃４において、携帯電話機１０の通信部１５がスレーブＳ１〜Ｓ６のいずれかのＭＡＣアドレスを受信した場合には、ステップ＃７に移行する。図８は、無線通信システム１の構成を示す概略図であって携帯電話機１０がスレーブＳ４であるヘッドセット装置５０からＭＡＣアドレスを受信した様子を説明するための概略図である。ステップ＃４において、スレーブＳ４の操作部５３の音量調節ボタン５３ａが使用者の手指Ｈで押し下げられると、実線矢印で示すようにスレーブＳ４であるヘッドセット装置５０から携帯電話機１０へＭＡＣアドレスが送信される。
【００４２】
ステップ＃７では、応答信号の強度または品質が最も高いスレーブＳ３のアイコンＳ３ｉを拡大表示した画面（図７参照）が切り替えられて、受信したＭＡＣアドレスに対応するスレーブＳ４のアイコンＳ４ｉが表示部１２において拡大表示（強調表示）される。図９は、携帯電話機１０がスレーブＳ４からＭＡＣアドレスを受信した際の表示部１２の表示状態を示すイメージ図である。これにより、使用者は通信確立を所望するスレーブＳ４を携帯電話機１０の表示部１２の画面で容易に認識することができる。
【００４３】
スレーブＳ４、Ｓ５はヘッドセット装置５０、６０であってアイコンＳ４ｉ、Ｓ５ｉの形状は同じであるが、ＭＡＣアドレスを送信したスレーブＳ４のアイコンＳ４ｉのみが拡大表示される。これにより、使用者はスレーブＳ５を誤って選択することなく、所望のスレーブＳ４を容易かつ確実に選択することができる。したがって、誤った選択動作による使用者へのストレスが低減される。
【００４４】
ステップ＃８において、例えば拡大表示されたアイコンＳ４ｉが選択された場合には、ステップ＃９に移行する。なお、通常はアイコンＳ４ｉが選択されるが、他のアイコンＳ１ｉ、Ｓ２ｉ、Ｓ３ｉ、Ｓ５ｉ、Ｓ６ｉが選択されてもよい。ステップ＃９では、携帯電話機１０の通信部１５はスレーブＳ４に通信確立要求信号を送信する。ステップ＃１０では、携帯電話機１０とスレーブＳ４との通信が確立され、携帯電話機１０の通信確立の動作が完了する。すなわち、携帯電話機１０とスレーブＳ４とのペアリングが完了する。これにより、使用者はスレーブＳ４であるヘッドセット装置５０を用いてハンズフリーで通話を行うことができる。
【００４５】
図５は、スレーブＳ４であるヘッドセット装置５０の携帯電話機１０との通信確立の動作を示すフローチャートである。スレーブＳ１〜Ｓ６の携帯電話機１０との通信確立の動作は同様な動作であるので、スレーブＳ４を代表させて説明する。
【００４６】
スレーブＳ４の電源を入れると、ステップ＃２１では、携帯電話機１０から問合せ信号を受信するまで待機する。問合せ信号を受信すると、ステップ＃２２に移行する。ステップ＃２２では、問合せ信号に対する応答信号を携帯電話機１０へ送信する。
【００４７】
ステップ＃２３では、スレーブＳ４の操作部５３の音量調節ボタン５３ａが押し下げられたか否かが判断される。音量調節ボタン５３ａが押し下げられていない場合には、ステップ＃２５に移行する。ステップ＃２５では、携帯電話機１０からの通信確立要求信号を受信したか否かが判断される。携帯電話機１０からの通信確立要求信号を受信していない場合にはステップ＃２３に戻り、ステップ＃２３〜＃２５が繰り返される。
【００４８】
ステップ＃２３において、音量調節ボタン５３ａが押し下げられた場合にはステップ＃２４に移行する。ステップ＃２４では、ＭＡＣアドレスを携帯電話機１０へ送信する。
【００４９】
ステップ＃２５において、通信確立要求信号を受信した場合にはステップ＃２６に移行し、スレーブＳ４と携帯電話機１０との通信確立が完了する。
【００５０】
本実施形態によると、スレーブＳ１〜Ｓ６（接続先端末）に問合せ信号を送信するとともに問合せ信号に対する応答信号を受信する通信部１５と、応答信号を受信したスレーブＳ１〜Ｓ６のアイコンＳ１ｉ〜Ｓ６ｉ（端末情報）を表示する表示部１２とを備え、表示部１２に表示されたアイコンＳ１ｉ〜Ｓ６ｉの選択操作によって対応するスレーブＳ１〜Ｓ６との通信を確立する携帯電話機１０（無線通信装置）において、通信確立前にスレーブＳ４から送信されるＭＡＣアドレス（識別情報）を受信した際に、ＭＡＣアドレスに対応するスレーブＳ４のアイコンＳ４ｉを拡大表示（強調表示）する。
【００５１】
これにより、スレーブＳ４との通信確立前に、スレーブＳ４から送信されるＭＡＣアドレスを受信した際にＭＡＣアドレスに対応するスレーブＳ４のアイコンＳ４ｉが携帯電話機１０の表示部１２において拡大表示される。したがって、使用者は通信確立を所望するスレーブＳ４を表示部１２において容易に認識することができる。その結果、携帯電話機１０の使用性を向上させることができる。
【００５２】
また、応答信号の強度または品質が最も高いスレーブＳ３のアイコンＳ３ｉを拡大表示し、ＭＡＣアドレスを受信した際に対応するスレーブＳ４のアイコンＳ４ｉに切り替えて拡大表示する。これにより、使用者は携帯電話機１０に最も近く通信確立を所望することが多いスレーブＳ３を容易に認識することができる。その結果、携帯電話機１０の使用性を向上させることができる。
【００５３】
また本実施形態によると、スレーブＳ１〜Ｓ６（接続先端末）に問合せ信号を送信するとともに問合せ信号に対する応答信号を受信する通信部１５と、応答信号を受信したスレーブＳ１〜Ｓ６のアイコンＳ１ｉ〜Ｓ６ｉ（端末情報）を表示する表示部１２とを備え、表示部１２に表示されたアイコンＳ１ｉ〜Ｓ６ｉの選択操作によって対応するスレーブＳ１〜Ｓ６との通信を確立する携帯電話機１０（無線通信装置）において、通信確立前に、応答信号の強度または品質が最も高いスレーブＳ３の応答信号に対応するスレーブＳ３のアイコンＳ３ｉを拡大表示（強調表示）する。
【００５４】
これにより、使用者は携帯電話機１０に最も近く通信確立を所望することが多いスレーブＳ３を表示部１２において容易に認識することができる。したがって、携帯電話機１０の使用性を向上させることができる。
【００５５】
また本実施形態の無線通信システム１によると、携帯電話機１０（無線通信装置）と、スレーブＳ１〜Ｓ６（接続先端末）とを備えている。これにより、使用者は通信確立を所望するスレーブＳ４を携帯電話機１０の表示部１２において容易に認識することができる。その結果、無線通信システム１の使用性を向上させることができる。
【００５６】
また、スレーブＳ４であるヘッドセット装置５０（接続先端末）が、音量調節ボタン５３ａの押し下げ（所定操作）によってＭＡＣアドレス（識別情報）を送信するとともに、携帯電話機１０（無線通信装置）との通信確立後に音量調節ボタン５３ａの押し下げによって音量調節を行う。これにより、ＭＡＣアドレスを送信するための操作ボタン等をスレーブＳ４に別途設ける必要がない。したがって、スレーブＳ４のコンパクト化を図ることができるとともに、スレーブＳ４の製造コストを削減することができる。
【００５７】
＜第２実施形態＞
次に、本発明の第２実施形態について説明する。図１０は本実施形態の携帯電話機１０がＭＡＣアドレスを受信した際の携帯電話機１０の表示部１２の表示状態を示すイメージ図である。説明の便宜上、前述の図１〜図９に示した第１実施形態と同様の部分には同一の符合を付している。本実施形態はアイコンＳ４ｉの強調表示の方法が第１実施形態とは異なっている。その他の部分は第１実施形態と同様である。
【００５８】
ＭＡＣアドレスを送信したスレーブＳ４のアイコンＳ４ｉの色が表示部１２において変化する。図１０のハッチングは色の変化を示す。この時、アイコンＳ４ｉの色に特に限定はないが、例えば黒色から赤色に変化する。これにより、使用者は通信確立を所望するスレーブＳ４を表示部１２において容易に認識することができる。
【００５９】
第２実施形態によると、第１実施形態と同様な効果を得ることができる。また、アイコンＳ４ｉの色が変化するので、使用者は通信確立を所望するスレーブＳ４をより認識しやすくなる。
【００６０】
なお、応答信号の強度または品質が最も高いスレーブＳ３のアイコンＳ３ｉの色が表示部１２で変化してもよい。この時、アイコンＳ３ｉの色に特に限定はないが、例えば黒色から赤色に変化する。これにより、使用者は携帯電話機１０に最も近く通信確立を所望することが多いスレーブＳ３を表示部１２において一層容易に認識することができる。
【００６１】
＜第３実施形態＞
次に、本発明の第３実施形態について説明する。図１１は本実施形態の携帯電話機１０がＭＡＣアドレスを受信した際の携帯電話機１０の表示部１２の表示状態を示すイメージ図である。説明の便宜上、前述の図１〜図９に示した第１実施形態と同様の部分には同一の符合を付している。本実施形態はアイコンＳ４ｉの強調表示の方法が第１実施形態とは異なっている。その他の部分は第１実施形態と同様である。
【００６２】
ＭＡＣアドレスを送信したスレーブＳ４のアイコンＳ４ｉが表示部１２において動画表示される。これにより、使用者は通信確立を所望するスレーブＳ４を容易に認識することができる。
【００６３】
第３実施形態によると、第１実施形態と同様な効果を得ることができる。また、アイコンＳ４ｉが動画表示されるので、使用者は通信確立を所望するスレーブＳ４をより認識しやすくなる。
【００６４】
なお、応答信号の強度または品質が最も高いスレーブＳ３のアイコンＳ３ｉが表示部１２において動画表示されてもよい。これにより、使用者は携帯電話機１０に最も近く通信確立を所望することが多いスレーブＳ３を一層容易に認識することができる。
【００６５】
なお、今回開示された実施形態は、すべての点で例示であって制限的なものではないと考えられるべきである。本発明の範囲は、上記した実施形態の説明ではなく特許請求の範囲によって示され、さらに特許請求の範囲と均等の意味および範囲内でのすべての変更が含まれる。
【００６６】
第１〜第３実施形態では、携帯電話機１０をマスタＭとして説明しているが、例えばスマートフォンをマスタＭとしてもよい。また、例えばパーソナルコンピュータ２０やオーディオステレオ装置３０などをマスタＭとしてもよい。
【００６７】
第１〜第３実施形態では、音量調節ボタン５３ａを押し下げることによりＭＡＣアドレスが送信されているが、他の操作ボタンや操作つまみ等を操作することによりＭＡＣアドレスを送信してもよい。
【００６８】
第１〜第３実施形態において、複数のスレーブＳが同時にＭＡＣアドレスを携帯電話機１０に送信して、携帯電話機１０の表示部１２においてその複数のスレーブＳに対応するアイコンＳｉを同時に強調表示してもよい。ただし、例えば４つ以上のスレーブＳからＭＡＣアドレスが送信された場合には、強調表示されるアイコンの数が多いので、強調表示する意義が薄れる。そこで、この場合には、すべてのアイコンＳｉについて強調表示を行わないようにしてもよい。
【００６９】
また第１〜第３実施形態で説明しているアイコン（端末情報）の強調表示の方法を適宜組み合わせてもよい。例えば、アイコンＳ４ｉを拡大表示するとともに色を変化させてもよいし、動画表示してもよい。また、携帯電話機１０の表示部１２に同時にアイコンＳ１ｉ〜Ｓ６ｉが表示されている場合に、例えば応答信号の強度または品質が最も高いスレーブＳ３のアイコンＳ３ｉ以外のアイコンＳ１ｉ、Ｓ２ｉ、Ｓ４ｉ〜Ｓ６ｉを非表示状態にしてもよい。また、ＭＡＣアドレスを送信したスレーブＳ４のアイコンＳ４ｉ以外のアイコンＳ１ｉ〜Ｓ３ｉ、Ｓ５ｉ、Ｓ６ｉを非表示状態にしてもよい。
【００７０】
また、スレーブＳ１〜Ｓ６（接続先端末）の端末情報としてアイコンを例に説明しているが、これに限定されない。スレーブＳ１〜Ｓ６の端末情報としては例えば文字情報であってもよい。
【産業上の利用可能性】
【００７１】
本発明は、接続先端末と通信を行う無線通信装置及び無線通信システムに利用することができる。
【符号の説明】
【００７２】
１      無線通信システム
１０    携帯電話機（無線通信装置）
１１、５１    制御部
１２、５２    表示部
１３、５３    操作部
１４、５４    記憶部
１５、５５    通信部
１６、５６    音声処理部
１７、５７    アンテナ
１８、５８    スピーカ
１９、５９    マイク
２０          パーソナルコンピュータ（接続先端末）
３０          オーディオステレオ装置（接続先端末）
４０          マイク付ヘッドフォン装置（接続先端末）
５０、６０    ヘッドセット装置（接続先端末）
５３ａ        音量調節ボタン
７０          キーボード装置（接続先端末）
Ｍ            マスタ
Ｓ１〜Ｓ６    スレーブ
Ｓ１ｉ〜Ｓ６ｉ  アイコン
【図１】
2014216839.tif 000003
【図２】
2014216839.tif 000004
【図３】
2014216839.tif 000005
【図４】
2014216839.tif 000006
【図５】
2014216839.tif 000007
【図６】
2014216839.tif 000008
【図７】
2014216839.tif 000009
【図８】
2014216839.tif 000010
【図９】
2014216839.tif 000011
【図１０】
2014216839.tif 000012
【図１１】
2014216839.tif 000013